(57)【要約】  センサ付き表示装置において、表示のための駆動と、対象物の検出のための駆動の互いの干渉を抑制しつつ、それぞれの駆動期間を確保する。前記センサ付き表示装置は、複数の走査線（Ｇ）を第１方向に順に選択する走査を繰り返す走査駆動部（４）と、複数のデータ線（Ｓ）に電圧を印加するデータ駆動部（５）とを備える。さらに、センサ付き表示装置は、複数の駆動線（ＤＲＬ）を第１方向に順に駆動する走査を繰り返し、検出線（ＳＮＬ）の信号を検出する検出制御部（３０）を備える。検出制御部（３０）は、走査線（Ｇ）の画面走査の期間と重なる期間において、駆動線（ＤＲＬ）の画面走査を実行し、駆動線の画面走査において、走査駆動部により選択中の走査線に対応する領域の駆動線を避けて駆動信号を出力する。
2017006951.tif 000002
【特許請求の範囲】
【請求項１】
画像を表示する画面と、前記画面に対する対象物の接触又は接近を検出するセンサとを有するセンサ付き表示装置であって、
第１方向に並ぶ複数の走査線と、
前記第１方向と異なる第２方向に並ぶ複数のデータ線と、
前記走査線と前記データ線との各交点に対応して設けられる複数のスイッチング素子と、
前記複数のスイッチング素子にそれぞれ接続される複数の画素電極と、
前記複数の走査線を前記第１方向に順に選択する画面走査を繰り返す走査駆動部と、
前記走査駆動部による前記走査線の走査に同期して前記複数のデータ線に信号を出力することで、前記画素電極に表示すべき階調に応じた電圧を印加するデータ駆動部と、
前記第１方向に並ぶ複数の駆動線と、
前記第２方向に並ぶ複数の検出線と、
前記複数の駆動線に順に、駆動信号を出力する画面走査を繰り返し、前記駆動信号に対応して前記検出線の信号を検出する検出制御部とを有し、
前記検出制御部は、前記走査線の画面走査の期間と重なる期間において、前記駆動線の画面走査を実行し、前記駆動線の画面走査において、前記走査駆動部により選択中の走査線に対応する領域の駆動線を避けて駆動信号を出力する、センサ付き表示装置。
【請求項２】
前記検出制御部は、前記走査駆動部による前記走査線の選択のタイミングを制御するための同期信号に応じて、前記駆動信号の出力を制御する、請求項１に記載のセンサ付き表示装置。
【請求項３】
前記検出制御部は、前記同期信号に基づくタイミングで、予め決められた順番で前記複数の駆動線に前記駆動信号を出力することで、選択中の走査線に対応する領域の外の駆動線に駆動信号を出力する、請求項２に記載のセンサ付き表示装置。
【請求項４】
前記検出制御部は、前記同期信号に基づくタイミングで、前記画面走査において前記駆動信号の出力を停止することで、選択中の走査線に対応する領域の駆動線を避けて駆動信号を出力する、請求項２に記載のセンサ付き表示装置。
【請求項５】
前記走査駆動部は、前記画面走査において、前記第１方向の一方端の走査線から他方端の走査線まで順に走査線を選択し、
前記検出制御部は、前記画面走査において、前記第１方向の他方端の駆動線から一方端の駆動線まで順に駆動信号を出力し、選択される走査線の位置が、駆動信号が出力される駆動線の位置と重なるタイミングで駆動信号の出力を停止する、請求項４に記載のセンサ付き表示装置。
【請求項６】
前記検出制御部は、
前記駆動信号の駆動周波数を変更する周波数変更部と、
前記駆動周波数に基づいて、前記駆動信号を出力する駆動線の前記順番又は、前記画面走査において駆動信号の出力を停止する期間を決定する設定部をさらに有する、請求項２〜５のいずれか１項に記載のセンサ付き表示装置。
【請求項７】
前記同期信号は、前記走査駆動部の動作の基となる垂直同期信号と水平同期信号を含み、
前記検出制御部は、垂直同期信号を基準としてカウントされる前記水平同期信号のパルス数に応じて、前記駆動信号の出力を制御する、請求項２〜６のいずれか１項に記載のセンサ付き表示装置。
【請求項８】
画素の行列を有する画面と、前記画面に重なる領域において画素の行に垂直な方向に並ぶ複数の駆動線と、画素の列に垂直な方向に並ぶ検出線を有し、前記検出線の信号に基づいて前記画面に対する対象物の接触又は接近を検出する電子機器を制御する制御装置であって、
前記画面の各行の画素の表示の更新を開始するタイミングを制御するための同期信号を受け付ける信号取得部と、
前記同期信号に基づいて、複数の駆動線に出力する駆動信号を制御する信号を生成する信号生成部と、
前記信号生成部で生成された信号又は前記信号に基づく前記駆動信号を出力する出力部とを備え、
前記信号生成部は、前記画面の表示の更新期間と重なる期間において、前記複数の駆動線に駆動信号を出力する画面走査を実行し、前記駆動線の画面走査において、表示更新中の画素の行に対応する領域の駆動線を避けて駆動信号を出力するように前記信号を生成する、制御装置。
【請求項９】
画素の行列を有する画面と、前記画面に重なる領域において画素の行に垂直な方向に並ぶ複数の駆動線と、列に垂直な方向に並ぶ検出線を有し、前記検出線の信号に基づいて前記画面に対する対象物の接触又は接近を検出する電子機器を制御する制御方法であって、
前記画面の各行の画素の表示の更新を開始するタイミングを制御するための同期信号を受け付けるステップと、
前記同期信号に基づいて、前記駆動線に出力する駆動信号を制御する信号を生成する信号生成ステップと、
前記信号生成ステップで生成された信号又は前記信号に基づく前記駆動信号を出力する出力ステップとを備え、
前記信号生成ステップでは、前記画面の表示の更新期間と重なる期間において、前記複数の駆動線に駆動信号を出力する画面走査を実行し、前記駆動線の画面走査において、表示更新中の画素の行に対応する領域の駆動線を避けて駆動信号を出力するように前記信号を生成する、電子機器の制御方法。
【発明の詳細な説明】
【技術分野】
【０００１】
本願開示は、画像を表示する画面と、画面に対する対象物の接触又は接近を検出するセンサとを有するセンサ付き表示装置に関する。
【背景技術】
【０００２】
近年、画像を表示する画面を有するディスプレイと、指又はペン等の対象物の画面への接触又は接近を検出するタッチパネルとを備えたセンサ付き表示装置が製品化されている。センサ付き表示装置では、ディスプレイの駆動信号がノイズとなってタッチパネルへ影響を及ぼし得る。また、タッチパネルの駆動信号も、ディスプレイのノイズとなり得る。このようにディスプレイとタッチパネルが互いに干渉することで、それぞれのＳＮ（Signal Noise）比が低下し、誤作動や検出精度又は表示品質の低下が生じることがある。【０００３】
ディスプレイとタッチパネルの互いの干渉を抑制するため、ディスプレイの駆動及びタッチパネルの駆動のタイミングを関連づけて制御することが行われている。例えば、下記特許文献１に開示のタッチ検出機能付き表示デバイスは、１フレーム期間を構成する複数の単位駆動期間のそれぞれにおいて、Ｍ本の水平ラインを順次表示させるように表示素子を駆動する。さらに、その単位駆動期間内に設けられた、Ｍよりも少ないＮ個のタッチ検出期間においてタッチ検出素子を駆動する。【０００４】
このように、１フレーム期間を、ディスプレイ表示のための期間とタッチパネルの検出のための期間に分割し、表示のための駆動と検出のための駆動とを順に実行することによって、互いの干渉を抑制することができる。
【先行技術文献】
【特許文献】
【０００５】
【特許文献１】特開２０１３−８４１６８号公報
【発明の概要】
【発明が解決しようとする課題】
【０００６】
ディスプレイの解像度を高くすると、ディスプレイの駆動に要する時間が長くなる。ディスプレイの駆動に要する時間が長くなると、タッチパネルに割り当て可能な期間が短くなり、ディスプレイの駆動とタッチパネルの駆動の両立が難しくなる。また、タッチパネルが駆動できる時間を十分に確保できないことは、タッチパネルの性能の向上を妨げる要因にもなる。【０００７】
そこで、本願は、表示のための駆動と、対象物の検出のための駆動の互いの干渉を抑制しつつ、それぞれの駆動期間を確保することができる、センサ付きタッチパネル、制御装置及び制御方法を開示する。
【課題を解決するための手段】
【０００８】
本発明の一実施形態におけるセンサ付き表示装置は、本発明の一実施形態におけるセンサ付き表示装置は、画像を表示する画面と、前記画面に対する対象物の接触又は接近を検出するセンサとを有するセンサ付き表示装置に関する。前記センサ付き表示装置は、第１方向に並ぶ複数の走査線と、前記第１方向と異なる第２方向に並ぶ複数のデータ線と、前記走査線と前記データ線との各交点に対応して設けられる複数のスイッチング素子と、前記複数のスイッチング素子にそれぞれ接続される複数の画素電極とを備える。【０００９】
また、前記センサ付き表示装置は、前記複数の走査線を前記第１方向に順に選択する画面走査を繰り返す走査駆動部と、前記走査駆動部による前記走査線の走査に同期して前記複数のデータ線に信号を出力することで、前記画素電極に表示すべき階調に応じた電圧を印加するデータ駆動部とを備える。【００１０】
さらに、前記センサ付き表示装置は、前記第１方向に並ぶ複数の駆動線と、前記第２方向に並ぶ複数の検出線と、前記複数の駆動線に順に、駆動信号を出力する画面走査を繰り返し、前記駆動信号に対応して前記検出線の信号を検出する検出制御部とを有する。【００１１】
前記検出制御部は、前記走査線の画面走査の期間と重なる期間において、前記駆動信号の画面走査を実行し、前記駆動信号の画面走査において、前記走査駆動部により選択中の走査線に対応する領域の駆動線を避けて駆動信号を出力する。
【発明の効果】
【００１２】
本願開示によれば、センサ付き表示装置において、表示のための駆動と、対象物の検出のための駆動の互いの干渉を抑制しつつ、それぞれの駆動期間を確保することができる。
【図面の簡単な説明】
【００１３】
【図１】図１は、実施形態１におけるセンサ付き表示装置の構成例を示すブロック図である。
【図２】図２は、図１に示すセンサ付き表示装置１の構成例を示す断面図である。
【図３】図３は、駆動線、検出線、ゲート線Ｇ及びデータ線の積層構成の一例を示す斜視図である。
【図４】図４は、表示装置及び検出装置の信号の波形の一例を示す図である。
【図５】図５は、画面に垂直な方向から見た場合のゲート線Ｇと駆動線ＤＲＬの配置例を示す図である。
【図６】図６は、予め設定される駆動線ＤＲＬの順番を示すデータの一例である。
【図７】図７は、駆動線ＤＲＬ及びゲート線Ｇの駆動形態を示す図である。
【図８】図８は、複数の駆動線ＤＲＬを含むセクションごとに駆動順を設定する場合の駆動例を示す図である。
【図９】図９は、実施形態２における駆動線ＤＲＬ及びゲート線の駆動形態を示す図である。
【図１０】図１０は、図９に示す動作における各種信号波形の一例を示す図である。
【図１１】図１１は、ＴＰコントローラ３０の構成例を示す機能ブロック図である。
【発明を実施するための形態】
【００１４】
本発明の一実施形態におけるセンサ付き表示装置は、画像を表示する画面と、前記画面に対する対象物の接触又は接近を検出するセンサとを有するセンサ付き表示装置に関する。前記センサ付き表示装置は、第１方向に並ぶ複数の走査線と、前記第１方向と異なる第２方向に並ぶ複数のデータ線と、前記走査線と前記データ線との各交点に対応して設けられる複数のスイッチング素子と、前記複数のスイッチング素子にそれぞれ接続される複数の画素電極とを備える。
【００１５】
また、前記センサ付き表示装置は、前記複数の走査線を前記第１方向に順に選択する画面走査を繰り返す走査駆動部と、前記走査駆動部による前記走査線の走査に同期して前記複数のデータ線に信号を出力することで、前記画素電極に表示すべき階調に応じた電圧を印加するデータ駆動部とを備える。
【００１６】
さらに、前記センサ付き表示装置は、前記第１方向に並ぶ複数の駆動線と、前記第２方向に並ぶ複数の検出線と、前記複数の駆動線に順に、駆動信号を出力する画面走査を繰り返し、前記駆動信号に対応して前記検出線の信号を検出する検出制御部とを有する。
【００１７】
前記検出制御部は、前記走査線の画面走査の期間と重なる期間において、前記駆動信号の画面走査を実行し、前記駆動信号の画面走査において、前記走査駆動部により選択中の走査線に対応する領域の駆動線を避けて駆動信号を出力する（第１の構成）。
【００１８】
上記構成によれば、走査線の画面走査の期間と、駆動信号の画面走査の期間が重なる。すなわち、走査線の画面走査と駆動信号の画面走査は同時に実行される。そのため、表示のための駆動期間と、対象物の検出のための駆動期間をそれぞれ十分に確保することが容易になる。さらに、検出制御部は、駆動信号の画面走査において、走査駆動部により選択中の走査線に対応する領域の駆動線を避けて駆動信号を出力する。これにより、走査駆動部が選択する走査線の位置と、駆動部が駆動信号を出力する駆動線の位置が重ならない。そのため、走査線の画面走査と駆動線の画面走査を、互いに干渉しにくい状態で、同時に実行することができる。その結果、表示のための駆動と、対象物の検出のための駆動の互いの干渉を抑制しつつ、それぞれの駆動期間を確保することができる。
【００１９】
上記第１の構成において、前記検出制御部は、前記走査駆動部による前記走査線の選択のタイミングを制御するための同期信号に応じて、前記駆動信号の出力を制御することができる（第２の構成）。
【００２０】
同期信号により各走査線の選択タイミングの情報が得られる。この同期信号を用いることで、簡単な処理で、選択中の走査線に対応する領域の駆動線を避けて駆動信号を出力することが可能になる。
【００２１】
上記第２の構成において、前記検出制御部は、前記同期信号に基づくタイミングで、予め決められた順番で前記複数の駆動線に前記駆動信号を出力することにより、選択中の走査線に対応する領域の外の駆動線に駆動信号を出力してもよい（第３の構成）。
【００２２】
第３の構成によれば、予め設定された順番に従って駆動線に駆動信号を出力するので、迅速な制御が可能になる。
【００２３】
上記第２の構成において、前記検出制御部は、前記同期信号に基づくタイミングで、前記画面走査において前記駆動信号の出力を停止することで、選択中の走査線に対応する領域の駆動線を避けて駆動信号を出力してもよい（第４の構成）。
【００２４】
第４の構成によれば、駆動信号の出力の停止により、走査線の選択と同じタイミングで、同じ領域の駆動線に駆動信号を出力するのが避けられる。
【００２５】
前記第４の構成において、前記走査駆動部は、前記画面走査において、前記第１方向の一方端の走査線から他方端の走査線まで順に走査線を選択してもよい。この場合、前記検出制御部は、前記画面走査において、前記第１方向の他方端の駆動線から一方端の駆動線まで順に駆動信号を出力することができる（第５の構成）。
【００２６】
第５の構成によれば、走査線の順次選択の方向と、駆動線の順次駆動の方向とが逆になる。選択される走査線が一方端から他方端へ移動し、駆動信号が出力される駆動線が他方端から一方端へ移動する。選択される走査線の位置が、駆動信号が出力される駆動線の位置と重なるタイミングで、駆動信号の出力が停止する。すなわち、検出制御部は、他方端の駆動線から並び順に従って順次駆動信号を出力し、選択される走査線の位置と駆動信号を出力する駆動線が重なるタイミングで駆動線の出力を停止する。そのため、より単純な処理で、選択中の走査線と同じ領域の駆動線を避けて駆動信号を出力する動作が可能になる。
【００２７】
上記第２〜５の構成のいずれかにおいて、前記検出制御部は、前記駆動信号の駆動周波数を変更する周波数変更部と、前記駆動周波数に基づいて、前記駆動信号を出力する駆動線の前記順番又は、前記画面走査において駆動信号の出力を停止する期間を決定する設定部をさらに有してもよい（第６の構成）。
【００２８】
第６の構成によれば、周波数変更部は、駆動信号の駆動周波数を変更することができる。そのため、例えば、ノイズ環境等、変化する環境に応じて適切な駆動周波数を設定することができる。さらに、設定部は、駆動周波数の変化に応じて、駆動信号を出力する駆動線の順番又は、駆動信号の出力を停止する期間を、適切に設定することができる。そのため、駆動周波数に応じて、駆動線と走査線との干渉を避けるための制御を適切に変更することができる。
【００２９】
上記第２〜６の構成のいずれかにおいて、前記同期信号は、前記走査駆動部の動作の基となる垂直同期信号と水平同期信号を含んでもよい。この場合、前記検出制御部は、垂直同期信号を基準としてカウントされる前記水平同期信号のパルス数に応じて、前記駆動信号の出力を制御することができる（第７の構成）。
【００３０】
第７の構成において、垂直同期信号を基準としてカウントされる前記水平同期信号のパルス数は、選択中の走査線を示す情報となる。そのため、検出制御部は、カウントされたパルス数に応じて、選択中の走査線に対応する領域の駆動線を避けて駆動信号を出力することができる。
【００３１】
電子機器を制御する制御装置も、本発明の実施形態に含まれる。前記電子機器は、画素の行列を有する画面と、前記画面に重なる領域において画素の行に垂直な方向に並ぶ複数の駆動線と、画素の列に垂直な方向に並ぶ検出線を有し、前記検出線の信号に基づいて前記画面に対する対象物の接触又は接近を検出する。前記制御装置は、前記画面の各行の画素の表示の更新を開始するタイミングを制御するための同期信号を受け付ける信号取得部と、前記同期信号に基づいて、複数の駆動線に出力する駆動信号を制御する信号を生成する信号生成部と、前記信号生成部で生成された信号又は前記信号に基づく前記駆動信号を出力する出力部とを備える。前記信号生成部は、前記画面の表示の更新期間と重なる期間において、前記複数の駆動線に駆動信号を出力する画面走査を実行し、前記駆動線の画面走査において、表示更新中の画素の行に対応する領域の駆動線を避けて駆動信号を出力するように前記信号を生成する。
【００３２】
電子機器を制御する制御方法も、本発明の実施形態に含まれる。前記電子機器は、画素の行列を有する画面と、前記画面に重なる領域において画素の行に垂直な方向に並ぶ複数の駆動線と、列に垂直な方向に並ぶ検出線を有し、前記検出線の信号に基づいて前記画面に対する対象物の接触又は接近を検出する。前記制御方法は、前記画面の各行の画素の表示の更新を開始するタイミングを制御するための同期信号を受け付けるステップと、前記同期信号に基づいて、前記駆動線に出力する駆動信号を制御する信号を生成する信号生成ステップと、前記信号生成ステップで生成された信号又は前記信号に基づく前記駆動信号を出力する出力ステップとを備える。前記信号生成ステップでは、前記画面の表示の更新期間と重なる期間において、前記複数の駆動線に駆動信号を出力する画面走査を実行し、前記駆動線の画面走査において、表示更新中の画素の行に対応する領域の駆動線を避けて駆動信号を出力するように前記信号を生成する。
【００３３】
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００３４】
＜実施形態１＞
（センサ付き表示装置の構成例）
図１は、実施形態１におけるセンサ付き表示装置の構成例を示すブロック図である。図１に示すセンサ付き表示装置１は、画像を表示する画面と、画面に対する対象物の接触又は接近を検出するセンサとを有する電子機器である。センサ付き表示装置１は、表示装置２、検出装置３及びシステム側コントローラ１０を備える。
【００３５】
＜表示装置の構成例＞
表示装置２は、画像を表示する画面に対応する表示領域２ａに配置された複数のゲート線Ｇ（Ｇ（１）、Ｇ（２）、・・・、Ｇ（ｎ）、・・・、Ｇ（Ｎ））と、データ線Ｓ（Ｓ（１）、Ｓ（２）、・・・、Ｓ（ｉ）、・・・Ｓ（Ｍ））とを有する。ゲート線Ｇは、表示走査線の一例であり、第１方向（図１の例では、Ｙ方向）に並ぶ。データ線Ｓは、第１の方向とは異なる第２方向（図１の例では、Ｙ方向に直交するＸ方向）に並ぶ。
【００３６】
ゲート線Ｇとデータ線Ｓの各交点に対応する位置に、ＴＦＴ(Thin Film Transistor)８が設けられる。ＴＦＴ８は、ゲート線Ｇとデータ線Ｓに接続される。また、ＴＦＴ８には、画素電極９が接続される。ＴＦＴ８は、スイッチング素子の一例である。ＴＦＴ８は、ゲート線Ｇの信号に従って、オン／オフが切り替えられる。ＴＦＴ８がオンの時に、データ線Ｓの信号が、画素電極９に入力される。これにより、各画素において表示すべき階調に応じた電圧が、画素電極９に印加される。
【００３７】
表示領域２ａにおいて、隣接する２本のゲート線Ｇと、隣接する２本のデータ線Ｓに囲まれる領域に１つの画素が配置される。表示領域２ａには、複数の画素がマトリクス状に配置される。各画素は、ＴＦＴ８及び画素電極９を含む。画素が配置される領域が表示領域２ａすなわち画面となる。また、複数の画素電極９に対向する位置に共通電極１１が設けられる。
【００３８】
表示装置２は、さらに、タイミングコントローラ７、走査線駆動回路（ゲートドライバ）４、データ線駆動回路（ソースドライバ）５、共通電極駆動回路６を有する。タイミングコントローラ７は、システム側コントローラ１０、走査線駆動回路４、データ線駆動回路５、及び共通電極駆動回路６に接続される。走査線駆動回路４は、ゲート線Ｇに接続される。データ線駆動回路５は、データ線Ｓに接続される。共通電極駆動回路６は、共通電極１１に接続される。
【００３９】
タイミングコントローラ７は、システム側コントローラ１０から映像信号（矢印Ａ）及び同期信号（矢印Ｄ）を受信する。タイミングコントローラ７は、映像信号をデータ線駆動回路５へ出力する（矢印Ｆ）。タイミングコントローラ７は、同期信号Ｄに基づき、走査線駆動回路４、データ線駆動回路５、及び共通電極駆動回路６に対して、各回路が同期して動作するための基準となる信号すなわち動作タイミングを制御するための信号を出力する（矢印Ｅ，Ｆ，Ｂ）。
【００４０】
同期信号Ｄには、例えば、垂直同期信号と水平同期信号が含まれる。垂直同期信号は、画面の走査すなわち画面の表示の更新のタイミングを示す信号とすることができる。水平同期信号は、画面における各行の画素の描画のタイミングを示す信号とすることができる。
【００４１】
一例として、タイミングコントローラ７は、走査線駆動回路４に、垂直同期信号及び水平同期信号に基づくゲートスタートパルス信号及びゲートクロック信号を出力する（矢印Ｅ）。ゲートスタートパルス信号は、例えば、垂直同期信号のパルス発生に対応するタイミングで発生するパルスを含むことができる。ゲートクロック信号は、水平同期信号のパルス発生に対応するタイミングで発生するパルスを含むことができる。
【００４２】
タイミングコントローラ７は、データ線駆動回路５に対して、垂直同期信号及び水平同期信号に基づく、ソーススタートパルス信号、ソースラッチストローブ信号、及びソースクロック信号を出力する（矢印Ｆ）。
【００４３】
走査線駆動回路４は、各データ線Ｓに、表示すべき画像を示す信号を供給する。走査線駆動回路４は、１画面におけるゲート線Ｇを第１方向（Ｙ方向）に順に選択する走査を、垂直同期信号で示される周期で繰り返す。具体的には、走査線駆動回路４は、ゲートスタートパルス信号に従って、１画面の走査を開始し、ゲートクロック信号にしたがって各ゲート線Ｇに順に選択信号を印加する。
【００４４】
なお、１画面の走査は、１画面の全てのゲート線Ｇ（１）〜Ｇ（Ｎ）を順次選択するプログレッシブ(progressive)方式であってもよいし、例えば、１本おきにゲート線Ｇを選択する等、一部のゲート線を飛び越して選択するインターレース(interlace)方式のものであってもよい。
【００４５】
データ線駆動回路５は、走査線駆動回路４によるゲート線Ｇの走査に同期して複数のデータ線Ｓへ、映像信号に基づく信号を出力する。これにより、画素電極９に表示すべき階調に応じた電圧を印加することができる。具体的には、データ線駆動回路５は、ソースクロック信号のパルスが発生するタイミングで、各データ線に印加すべき電圧を示すデジタル映像信号をレジスタに順次保持する。保持されたデジタル映像信号は、ソースラッチストローブ信号のパルスが発生するタイミングで、アナログ電圧に変換される。変換されたアナログ電圧は、駆動用映像信号として複数のデータ線Ｓに一斉に印加される。
【００４６】
共通電極駆動回路６は、タイミングコントローラ７から受け取った信号に基づいて、共通電極１１に所定の電圧を印加する（矢印Ｃ）。
【００４７】
以上のようにして、各ゲート線に選択信号が印加されるタイミングで、データ線Ｓに駆動用映像信号が印加され、さらに、共通電極１１に所定の電圧が印加されることで、表示領域２ａすなわち画面に、画像が表示される。
【００４８】
＜検出装置の構成例＞
検出装置３は、表示装置１の画面に対する指又はペン等の対象物の接触又は接近を検出するセンサの一例である。検出装置３は、タッチパネル２０とタッチパネルコントローラ（以下ＴＰコントローラと称する）３０を有する。
【００４９】
タッチパネル２０は、第１方向（図１の例ではＹ方向）に並ぶ複数の駆動線ＤＲＬ（ＤＲＬ（１）〜ＤＲＬ（Ｐ））及び第２方向（この例では、Ｙ方向に直交するＸ方向）に並ぶ複数の検出線ＳＮＬ（ＳＮＬ（１）〜ＳＮＬ（Ｑ））を有する。駆動線ＤＲＬは、第２方向（Ｘ方向）に延びる電極である。検出線ＳＮＬは、第１方向（Ｙ方向）に延びる電極である。駆動線ＤＲＬは、検出走査線の一例である。
【００５０】
図１では、説明のため、タッチパネル２０と表示装置２の表示領域２ａは、Ｚ方向において重ならない位置に描かれているが、実際は、タッチパネル２０は、表示装置２の表示領域２ａと、画面に垂直な方向から見て重なる位置に配置される。すなわち、駆動線ＤＲＬ及び検出線ＳＮＬは、表示領域２ａである画面に重畳して配置される。また、駆動線ＤＲＬは、ゲート線Ｇと同じ方向（本例では、Ｙ方向）に並んで配置される。検出線ＳＮＬは、データ線Ｓと同じ方向（本例では、Ｘ方向）に並んで配置される。
【００５１】
図２は、図１に示すセンサ付き表示装置１の構成例を示す断面図である。図２に示す例では、センサ付き表示装置１は、互いに対向する第１基板１２及び第２基板１６を備える。第１基板１２及び第２基板１６の間には液晶層１４が設けられる。
【００５２】
第１基板１２の第２基板１６に対向する面には、共通電極１１及び画素電極９が設けられる。共通電極１１は、複数の画素電極９と、絶縁層１３を介して対向する位置に設けられる。また、図示しないが、第１基板１２には、ゲート線Ｇ、データ線Ｓ、及びＴＦＴ８が配置される。
【００５３】
第２基板１６の第１基板１２に対向する面には、カラーフィルタ１５及び駆動線ＤＲＬが配置される。図２に示す例では、カラーフィルタ１５の液晶層１４側の面に駆動線ＤＲＬが形成される。カラーフィルタ１５は、ブラックマトリクスＢＭを含む。ブラックマトリクスＢＭの液晶層１４側に駆動線ＤＲＬが配置される。第２基板１６の第１基板１２と反対側の面には、検出線ＳＮＬ及び偏光板１７が配置される。
【００５４】
本例では、第１基板１２及び第２基板１６により、表示装置２と検出装置３が一体的に形成される。駆動線ＤＲＬ及び検出線ＳＮＬは、いずれも、共通電極１１とは独立して設けられる。すなわち、表示装置２の共通電極１１が、タッチパネル２０の駆動線ＤＲＬ又は検出線ＳＮＬを兼ねる構成にはなっていない。これにより、タッチパネル２０の駆動が、表示装置２の駆動によって制約を受けにくくなる。
【００５５】
第１基板１２及び第２基板１６は、例えば、ガラス又は樹脂で形成することができる。画素電極９、共通電極１１、検出線ＳＮＬ、及び駆動線ＤＲＬは、例えば、ＩＴＯ(Indium Tin Oxide)等の透明電極により形成することができる。
【００５６】
図３は、駆動線ＤＲＬ、検出線ＳＮＬ、ゲート線Ｇ及びデータ線Ｓの積層構成の一例を示す斜視図である。図３に示す例では、ゲート線Ｇの層、データ線Ｓの層、駆動線ＤＲＬの層、及び検出線ＳＮＬの層が、Ｚ方向に積層される。複数の駆動線ＤＲＬ及び複数の検出線ＳＮＬの間には容量が形成される。駆動線ＤＲＬと検出線ＳＮＬとの交点に対応する位置における容量は、対象物の接近又は接触により変化する。複数の駆動線ＤＲＬ及び複数の検出線ＳＮＬにより構成されるマトリクスは、表示領域２ａの全域と重なるように配置される。すなわち、駆動線ＤＲＬ及び検出線ＳＮＬは、ゲート線Ｇ及びデータ線Ｓが設けられた領域に重なる領域に配置される。
【００５７】
図３に示す例では、ゲート線Ｇと駆動線ＤＲＬは互いに平行になるよう配置される。なお、ゲート線Ｇと駆動線ＤＲＬは、完全に平行でなくてもよい。例えば、ゲート線Ｇの方向と駆動線ＤＲＬの方向は若干異なっていてもよい。又は、駆動線ＤＲＬの一部に、ゲート線Ｇと平行でない部分が含まれていてもよい。
【００５８】
複数の駆動線ＤＲＬには、駆動信号が順に入力される。検出線ＳＮＬには、駆動信号に対する応答信号が、検出信号として出力される。検出信号は、駆動線ＤＲＬと検出線ＳＮＬとの交点に対応する位置における容量に関する情報を含む。
【００５９】
例えば、ＴＰコントローラ３０は、複数の駆動線ＤＲＬに対して、第１方向（Ｙ方向）に順に駆動信号を印加する走査を繰り返し、駆動線ＤＲＬの駆動に対応して検出線ＳＮＬの検出信号を検出する。駆動信号は、複数のパルスを含む。ＴＰコントローラ３０は、各駆動線ＤＲＬを駆動する期間において、検出線ＳＮＬの信号を検出する。検出される信号には、駆動線ＤＲＬ及び検出線ＳＮＬの周囲の容量の変化が反映される。すなわち、表示領域２ａ（画面）における容量の変化が、検出線ＳＮＬの検出信号として検出される。ＴＰコントローラ３０は、検出線ＳＮＬで検出される信号を基に、画面に対する対象物の接触又は接近の位置を計算することができる。ＴＰコントローラ３０は、検出制御部の一例である。
【００６０】
なお、ゲート線Ｇ、データ線Ｓ、駆動線ＤＲＬ、及び検出線ＳＮＬの積層構成は、図２及び図３に示す例に限られない。例えば、駆動線ＤＲＬ及び検出線ＳＮＬの積層順序は逆でもよい。また、駆動線ＤＲＬ及び検出線ＳＮＬを同じ層に形成することもできる。さらに、駆動線ＤＲＬ及び検出線ＳＮＬは、第２基板１６に限られず、第１基板１２又は、第１基板１２及び第２基板１６の両方に分散して配置することができる。
【００６１】
再び図１を参照し、ＴＰコントローラ３０は、タイミングコントローラ７から受信する同期信号に基づいて、タッチパネル２０における駆動線ＤＲＬに出力する駆動信号を制御する。これにより、ゲート線Ｇの画面走査におけるゲート線Ｇの選択状況に応じて、駆動信号を出力する駆動線ＤＲＬを制御することができる。
【００６２】
ＴＰコントローラ３０は、ゲート線Ｇの画面走査の期間（すなわち画面表示の更新期間）と重なる期間において、駆動線ＤＲＬの画面走査を実行する。コントローラ３０は、駆動線ＤＲＬの画面走査において、走査線駆動回路４が選択中のゲート線Ｇ（すなわち表示更新中の画素の行）に対応する領域の駆動線を避けて、駆動信号を出力する。ここで、選択中のゲート線Ｇは、同期信号により示される。
【００６３】
ＴＰコントローラ３０は、同時に駆動されるゲート線Ｇと駆動線ＤＲＬが、画面上で重ならないように、駆動線ＤＲＬへ出力する駆動信号を制御する。すなわち、ゲート線Ｇの画面走査と駆動線ＤＲＬの画面走査を同時に行いながらも、ゲート線Ｇの駆動領域と、駆動線ＤＲＬの駆動領域が重ならないよう、駆動線ＤＲＬへ出力する駆動信号が制御される。ＴＰコントローラ３０は、例えば、選択中のゲート線Ｇと重なる領域の駆動線ＤＲＬ以外の駆動線ＤＲＬに駆動信号を出力するか、又は、駆動線ＤＲＬの画面走査において、全ての駆動線ＤＲＬへの駆動信号の出力を一時的に停止する。これにより、選択中のゲート線Ｇに対応する領域の駆動線を避けて駆動信号を出力することができる。
【００６４】
ＴＰコントローラ３０が、タイミングコントローラ７から受信する同期信号は、各ゲート線Ｇの選択のタイミングの基となる信号である。すなわち、同期信号は、各画素の行の書き込みタイミングを制御する信号である。そのため、コントローラ３０は、同期信号により、ゲート線Ｇの選択タイミングを把握することができる。同期信号は、複数のゲート線Ｇのうち現在どのゲート線が選択されているのか（選択中のゲート線はどれか）を示す信号であるとも言える。そのため、コントローラ３０は、同期信号に応じて駆動信号の出力を制御することで、選択中のゲート線Ｇに対応する領域の駆動線を避けて駆動信号を出力することができる。
【００６５】
ＴＰコントローラ３０は、同期信号として、垂直同期信号と水平同期信号を用いて、駆動線ＤＲＬへ出力する駆動信号を制御することができる。垂直同期信号のパルスのタイミングでゲート線Ｇの画面走査が開始される。水平同期信号のパルスのタイミングで、各ゲート線Ｇが選択される。また、水平同期信号のパルスに応じたタイミングで、データ線Ｓに信号が出力され、各行の画素へ信号へのデータ書き込みが行われる。ゲート線Ｇの画面走査では、一方の端（例えば画面上端）のゲート線Ｇ（１）から他方の端（例えば、画面下端）のゲート線Ｇ（Ｎ）へ向けて、ゲート線Ｇ（１）〜Ｇ（Ｎ）が順に選択される。そのため、ＴＰコントローラ３０は、これらの垂直同期信号と水平同期信号により、各ゲート線Ｇの選択のタイミングを把握することができる。
【００６６】
具体的には、ＴＰコントローラ３０は、垂直同期信号のパルスを契機として、水平同期信号のパルスのカウントを開始する。カウントされたパルス数は、端から何番目のゲート線Ｇが選択されているかを示す。すなわち、このパルス数は、選択中のゲート線Ｇを示す。ＴＰコントローラ３０は、カウントされたパルス数に応じて、駆動信号を出力する駆動線ＤＲＬを切り替えるか、又は、駆動信号の出力を停止することで、選択中のゲート線Ｇに対応する領域の駆動線ＤＲＬを避けて駆動信号を出力する。
【００６７】
例えば、ＴＰコントローラ３０は、所定数の水平同期信号のパルスが発生する毎に、駆動信号を出力する駆動線ＤＲＬを切り替える。このとき、ＴＰコントローラ３０は、予め決められた順番で、駆動信号を出力する駆動線ＤＲＬを切り替えることができる。この場合、選択中のゲート線Ｇと、駆動信号が出力される駆動線ＤＲＬとが重ならないように、予め駆動信号を出力する駆動線ＤＲＬの順番が設定される。
【００６８】
また、ＴＰコントローラ３０は、カウントされた水平同期信号のパルス数が予め設定された範囲（駆動禁止期間の範囲）にある時は、駆動信号の出力を停止することができる。ここで、例えば、ゲート線Ｇの画面走査において、一方端のゲート線Ｇ（１）から他方端のゲート線Ｇ（Ｎ）へ向けて順に選択される場合、駆動線ＤＲＬの画面走査では、他方端の駆動線ＤＲＬ（Ｐ）から一方端の駆動線ＤＲＬ（１）へ向けて、順に駆動信号の入力することができる。すなわち、ゲート線Ｇの画面走査の向きと駆動線ＤＲＬの画面走査の向きを反対にすることができる。ＴＰコントローラ３０は、選択中のゲート線Ｇと、駆動信号が出力される予定の駆動線ＤＲＬの位置が重なる期間を、ドライブ禁止期間とするように、駆動信号の出力停止する水平同期信号のパルス数の範囲を設定することができる。
【００６９】
１本の駆動線ＤＲＬに印加される駆動信号は、例えば、所定の周波数で発生する複数のパルスを含むことができる。ＴＰコントローラ３０は、このパルスの数と周波数により１本の駆動線ＤＲＬに駆動信号を出力する時間の長さを算出することができる。さらに、ＴＰコントローラ３０は、１本の駆動線ＤＲＬに駆動信号を出力する時間の長さと、水平同期信号のパルス周期を用いて、選択中のゲート線Ｇと駆動信号が出力される駆動線ＤＲＬの位置が重ならないような、駆動信号を出力する駆動線ＤＲＬの順番、又は、駆動信号の画面走査において駆動信号を停止する期間を、算出することができる。
【００７０】
＜検出装置の動作例＞
図４は、ＴＰコントローラ３０動作時の各種信号波形の一例を示す図である。図４において、内部に複数の縦線を有する長方形ＨＫ（水平同期信号Ｈｓｙｎｃ）、及び、長方形ＤＫ（駆動信号Ｄｒ）は、複数のパルスが含まれる波形を表すものとする。図４に示す例では、一定の周期でパルスを発生する垂直同期信号Ｖｓｙｎｃと水平同期信号Ｈｓｙｎｃにより、表示装置２の駆動タイミングが制御される。
【００７１】
垂直同期信号Ｖｓｙｎｃのパルスの間隔は、１フレーム期間となる。１フレーム期間において、１画面のゲート線Ｇが走査される。例えば、垂直同期信号Ｖｓｙｎｃのパルスがゲート線Ｇの画面走査開始の契機となる。水平同期信号Ｈｓｙｎｃは、各行の画素の書き込みタイミングを制御する。例えば、水平同期信号Ｈｓｙｎｃのパルス発生のタイミングで、１本のゲート線Ｇに選択信号が印加され、複数のデータ線Ｓに一斉に映像信号が印加される。
【００７２】
ＴＰコントローラ３０は、垂直同期信号Ｖｓｙｎｃによりゲート線Ｇの画面走査が開始されるタイミングを把握することができる。さらに、水平同期信号Ｈｓｙｎｃにより各ゲート線が選択されデータ線Ｓに信号が入力されるタイミング、すなわち書き込みのタイミングを把握することができる。ＴＰコントローラ３０は、例えば、タイミングコントローラ７又はシステム側コントローラ１０から垂直同期信号Ｖｓｙｎｃ及び水平同期信号Ｈｓｙｎｃを受け取ることができる。
【００７３】
制御信号Ｃｄｒは、ＴＰコントローラ３０において、垂直同期信号Ｖｓｙｎｃ及び水平同期信号Ｈｓｙｎｃを基に生成される信号である。この例では、制御信号Ｃｄｒは、駆動信号を出力する駆動線ＤＲＬの切り替えタイミングを制御する。制御信号Ｃｄｒは、垂直同期信号Ｖｓｙｎｃのパルスを基準として、水平同期信号Ｈｓｙｎｃのパルスが一定回数（以下、Ｘ回とする）発生する毎に立ち上がるパルスである。すなわち、制御信号Ｃｄｒのパルス周期は、水平同期信号Ｈｓｙｎｃのパルス周期のＸ倍となっている。Ｘの値は、例えば、１本の駆動線ＤＲＬに対応する領域に配置されるゲート線Ｇの数を基に決めることができる。一例として、画面に垂直な方向から見て、１本の駆動線ＤＲＬと重なるゲート線Ｇの数をＸとすることができる。
【００７４】
図５は、画面に垂直な方向から見た場合のゲート線Ｇと駆動線ＤＲＬの配置例を示す図である。図５は、表示装置２の解像度が２５５０×１４４４０であり、駆動線ＤＲＬが、２８本設けられる場合（Ｐ＝２８）の例である。この例では、１本の駆動線ＤＲＬ（１）に、９１本のゲート線Ｇが重なって配置される。このように、各駆動線ＤＲＬは、９１本のゲート線Ｇと対応して配置される。なお、ゲート線Ｇは２５５０本なので、下端の駆動線ＤＲＬ（２８）だけは、８９本のゲート線Ｇと重なる。図５に示す場合、図４の制御信号Ｃｄｒのパルス周期を決める水平同期信号Ｈｓｙｎｃのパルス数Ｘは、Ｘ＝９１とすることができる。ゲート線Ｇの画面走査において、選択中のゲート線Ｇと重なる駆動線ＤＲＬが変化するタイミングで、駆動信号を出力する駆動線ＤＲＬを切り替えることができる。
【００７５】
図５に示す例では、選択中のゲート線Ｇに対応する領域の駆動線ＤＲＬは、そのゲート線Ｇと画面に垂直な方向から見て重なる駆動線ＤＲＬとなっている。ゲート線Ｇに対応する領域の駆動線ＤＲＬの形態は、上記例に限られない。例えば、ゲート線Ｇに重なる駆動線ＤＲＬに加えて、ゲート線Ｇと互いに重大な干渉を及ぼし得る位置にある駆動線ＤＲＬもゲート線Ｇに対応する領域の駆動線ＤＲＬとすることができる。
【００７６】
図４に示すように、制御信号Ｃｄｒのパルスのタイミングで、駆動信号Ｄｒが出力される駆動線ＤＲＬが順次切り替わる。ここで、駆動線ＤＲＬが駆動される順番は、駆動線ＤＲＬの並び順と同じではない。例えば、図４の例では、上から６番目の駆動線ＤＲＬ（６）、５番目の駆動線ＤＲＬ（５）、９番目の駆動線ＤＲＬ（９）、・・・の順に、駆動信号Ｄｒ（６）、Ｄｒ（５）、Ｄｒ（９）、・・・が出力される。この順番は、予め決められ、ＴＰコントローラ３０のメモリに記録しておくことができる。
【００７７】
なお、駆動信号出力先の駆動線ＤＲＬの切り替えは、必ずしも、制御信号Ｃｄｒのパルスのタイミングでなくてもよい。例えば、制御信号Ｃｄｒのパルス１回につき、ｎ回（ｎは２以上の整数）のタイミングで（すなわち、ｎ倍の周期で）、駆動信号出力先の駆動線ＤＲＬを切り替えることもできる。制御信号Ｃｄｒに基づくタイミングで駆動信号出力先駆動線ＤＲＬを切り替えることにより、選択中のゲート線Ｇと重なる領域の駆動線ＤＲＬを避けて駆動信号を出力することができる。
【００７８】
ゲート線Ｇ（１）〜Ｇ（Ｎ）は、第１方向に順に選択される。すなわち、ゲート線Ｇ（１）〜Ｇ（Ｎ）は、並び順に従って一方端（本例では上端）から順に選択される。そのため、画面走査の期間において、各駆動線ＤＲＬ（１）〜ＤＲＬ（Ｐ）が、選択中のゲート線Ｇと重なるタイミングは、予め予測することができる。例えば、図４に示す例では、Ｐｒｈで示す期間は、各駆動線ＤＲＬが選択中のゲート線Ｇと重なることになる。そのため、Ｐｒｈは、各駆動線ＤＲＬの駆動禁止期間とすることができる。
【００７９】
具体的には、垂直同期信号Ｖｓｙｎｃがパルス発生してから９１個の水平同期信号Ｈｓｙｎｃが発生するまでの期間Ｐ１、すなわち制御信号Ｃｄｒの１番目のパルスから２番目のパルスまでの期間Ｐ１では、上から１〜９１番目に配置されたゲート線Ｇ（１）〜Ｇ（９１）が順次選択される。ゲート線Ｇ（１）〜Ｇ（９１）は、上から１番目に配置された駆動線ＤＲＬ（１）と重なる。そのため、期間Ｐ１は、駆動線ＤＲＬ（１）を避けて、他の駆動線ＤＲＬ（６）に駆動信号Ｄｒ（６）が出力される。期間Ｐ１は、駆動線ＤＲＬ（１）の駆動禁止期間Ｐｒｈである。期間Ｐ２は、駆動線ＤＲＬ（２）の駆動禁止期間Ｐｒｈである。期間Ｐ２では、駆動線ＤＲＬ（２）以外の駆動線ＤＲＬ（５）に駆動信号が出力される。以下、同様に、期間Ｐ３、Ｐ４、・・・は、それぞれ、駆動線ＤＲＬ（３）、ＤＲＬ（４）、・・・の駆動禁止期間Ｐｒｈとなる。
【００８０】
このように、制御信号Ｃｄｒで区切られる各期間Ｐ１〜ＰＰでは、駆動が禁止される駆動線以外の駆動線に駆動信号が出力されるように、予め駆動信号Ｄｒを出力する駆動線ＤＲＬの順番が設定される。すなわち、選択中のゲート線Ｇと重なる位置の駆動線ＤＲＬを避けて駆動信号Ｄｒが出力されるように、画面走査において駆動信号を出力する駆動線ＤＲＬの順番が予め設定される。
【００８１】
予め設定される駆動線ＤＲＬの順番は、例えば、ＴＰコントローラ３０のメモリに記録される。図６は、予め設定される駆動線ＤＲＬの順番を示すデータの一例である。図６に示す例では、各期間Ｐ１、Ｐ２、・・・と、駆動される駆動線ＤＲＬが対応付けられて記録される。なお、駆動線ＤＲＬの駆動順は、ＴＰコントローラ３０が、表示装置２の解像度及びフレームレート、並びにタッチパネル３の駆動線ＤＲＬの本数及び駆動周波数等の値を用いて、計算により決定してもよい。
【００８２】
図４に示す例では、制御信号Ｃｄｒで区切られる各期間Ｐ１、Ｐ２、・・・ＰＰの長さは、１本の駆動線ＤＲＬの領域に対応するゲート線Ｇの駆動時間に相当する。すなわち、各期間Ｐ１、Ｐ２、・・・は、１本の駆動線ＤＲＬに対応する領域におけるディスプレイ書き込み時間（表示更新の時間）である。この時間は、例えば、次のように計算することができる。
【００８３】
一例として、表示装置２の解像度が2550×1440で、フレームレートが、60Hzである場合について説明する。１本の駆動線ＤＲＬに対応する領域のディスプレイ書き込み時間は以下の計算で求めることができる。まず、１本の駆動線ＤＲＬあたりのゲート線Ｇの数を、「ディスプレイの解像度（縦）／駆動線ＤＲＬの本数」より計算する。本例では、１本の駆動線ＤＲＬあたりのゲート線Ｇの数＝2550/28=91本となる。
【００８４】
次に、１本のゲート線Ｇにおけるディスプレイ書き込み時間を、「1フレーム書き込み時間/ディスプレイの解像度（縦）」＝16.6/2550=6.5usと計算する。上記の計算から１本の駆動線ＤＲＬに対するディスプレイ書き込み時間は、
91本 ×6.5us= 595usと算出できる。このディスプレイ書き込み時間を、例えば、制御信号Ｃｄｒの周期とすることができる。
【００８５】
或いは、ＴＰコントローラ３０は、表示装置２から同期信号（タイミング信号）である垂直同期信号Ｖｓｙｎｃ及び水平同期信号Ｈｓｙｎｃ、又は、ＧＰＩＯの信号を受け取り、ディスプレイ書き込み時間、及び１本の駆動線ＤＲＬの駆動時間等を計算することができる。
【００８６】
さらに、上記動作例において、ＴＰコントローラ３０は、選択中のゲート線Ｇの位置すなわちディスプレイ書き込み位置を、垂直同期信号Ｖｓｙｎｃ及び水平同期信号Ｈｓｙｎｃを基に決定することができる。これにより、各駆動線ＤＲＬの駆動禁止タイミングを決定することができる。
【００８７】
例えば、ＴＰコントローラ３０は、垂直同期信号Ｖｓｙｎｃをリセット信号にして、水平同期信号Ｈｓｙｎｃをカウントする。このカウント数に基づいて、駆動線ＤＲＬ（１）、ＤＲＬ（２）、・・・ＤＲＬ（Ｐ）に対応する領域のディスプレイ書き込みタイミングを示す制御信号Ｃｄｒを生成することができる。ＴＰコントローラ３０は、制御信号Ｃｄｒのタイミングに基づいて、予め決められた順番で駆動信号が出力される駆動線ＤＲＬを切り替える。その結果、ディスプレイ書き込みが実行されている領域の駆動線ＤＲＬを避けて、他の駆動線ＤＲＬに駆動信号を出力することができる。すなわち、ディスプレイ書き込みタイミングとＴＰセンシングタイミングが重なる駆動線ＤＲＬには駆動信号を出力せずに、他の駆動線ＤＲＬをセンシングする。これにより、ディスプレイの書き込みタイミングとＴＰのセンシングエリアをずらすことができる。
【００８８】
＜駆動線ＤＲＬの駆動順決定例＞
予め設定される駆動信号を出力する駆動線ＤＲＬの順番は、例えば、ＴＰコントローラ３０において算出することができる。以下、ＴＰコントローラ３０による上記順番の決定処理例を説明する。
ＴＰコントローラ３０は、パラメータとして、例えば、ゲート線Ｇ及び駆動線ＤＲＬの本数、垂直同期信号Ｖｓｙｎｃの周期（フレームレート）、駆動信号の駆動周波数及び積算回数等を用いる。上述したように、ゲート線Ｇ及び駆動線ＤＲＬの本数、垂直同期信号Ｖｓｙｎｃの周期を用いて、１本の駆動線ＤＲＬに重なる領域におけるゲート線Ｇの選択時間（ディスプレイ書き込み時間）を計算することができる。また、駆動周波数及び積算回数により、１本の駆動線ＤＲＬの駆動時間すなわち１本の駆動線に駆動信号を出力する時間（図４に示すＷ１）を計算することができる。
【００８９】
ＴＰコントローラ３０は、１本の駆動線ＤＲＬに重なる領域におけるゲート線Ｇの選択時間を用いて、各駆動線ＤＲＬの駆動禁止期間Ｐｒｈを決定する。図４に示す例では、各駆動線ＤＲＬに重なるゲート線Ｇが選択される期間Ｐ１、Ｐ２、・・・が、そのまま各駆動線ＤＲＬの駆動禁止期間Ｐｒｈとなる。この例の他に、例えば、各駆動線ＤＲＬに重なる領域におけるゲート線Ｇが選択される期間Ｐ１、Ｐ２の前後の一定期間を、各駆動線ＤＲＬの駆動禁止期間Ｐｒｈに加えてもよい。
【００９０】
ＴＰコントローラ３０は、決定した各駆動線ＤＲＬの駆動禁止期間Ｐｒｈと、各駆動線ＤＲＬの駆動信号の出力時間とを用いて、各駆動線ＤＲＬへ駆動信号が出力される期間が、それぞれの駆動禁止期間Ｐｒｈに重ならないような、駆動線ＤＲＬの順番を決定することができる。一例として、ＴＰコントローラ３０は、まず、ランダムに駆動線ＤＲＬの順番を決定する。決定した順番で駆動線ＤＲＬ（１）〜（Ｐ）に順次駆動信号を出力した場合に、ＴＰコントローラ３０は、各駆動線ＤＬＲの駆動期間が駆動禁止期間Ｐｒｈに重なるか否かを判断する。重なると判断する場合は、順番を変えて上記判断を繰り返し、重ならないと判断されるとそのときの順番を記録する。なお、順番の決定処理の例はこれに限られない。
【００９１】
＜駆動線ＤＲＬの駆動例１＞
図７は、駆動線ＤＲＬ及びゲート線Ｇの駆動形態を示す図である。図７に示すグラフでは、縦軸は、駆動線ＤＲＬ及びゲート線Ｇの第１方向（Ｙ方向）における位置を示し、横軸は時間を示している。斜線ＴＤは、各駆動線ＤＲＬの駆動すなわちセンシングの位置を示し、斜線ＤＤは、ゲート線Ｇの駆動すなわちディスプレイ書き込みの位置を示す。なお、これらは、図８においても同様である。図７に示す例では、ゲート線Ｇは、並び順に従って、一方端から順に駆動される。駆動線ＤＲＬは、その並び順とは異なる順に駆動される。すなわち、駆動線ＤＲＬは、予め決定された順番で駆動される。駆動線ＤＲＬの駆動位置は、ゲート線Ｇの駆動位置と異なるよう、順番が設定される。これにより、ディスプレイの書き込みと干渉しないよう駆動される。
【００９２】
なお、図７に示す例では、ディスプレイのフレームレートは６０Ｈｚであり、タッチパネルのセンシングレートは１２０Ｈｚである。すなわち、ゲート線Ｇの画面走査の周期は、駆動線ＤＲＬの画面走査の周期の２倍となっている。このように、本実施形態の駆動方法によれば、ディスプレイのフレームレートを、タッチパネルのセンシングレートと異ならせることができる。
【００９３】
＜駆動線ＤＲＬの駆動例２＞
なお、上記動作例では、各駆動線ＤＲＬの駆動順を予め設定している。これに対して、互いに隣り合う複数の駆動線ＤＲＬを１つのセクションとして、各セクションの駆動順を予め設定することもできる。
【００９４】
図８は、複数の駆動線ＤＲＬを含むセクションごとに駆動順を設定する場合の駆動例を示す図である。図８に示す例では、複数の駆動線ＤＲＬ（１）〜ＤＲＬ（Ｐ）は、４つのセクションに分けられている。各セクションは、互いに隣接して並ぶ複数の駆動線ＤＲＬを含む。１つのセクションにける複数の駆動線ＤＲＬには、その並び順に従って順次、駆動信号が出力される。又は、１つのセクション内の複数の駆動線ＤＲＬに同時に駆動信号が出力して、並列駆動させることもできる。
【００９５】
複数のセクションに対して、予め決められた順番に従って駆動信号が出力される。図８に示す例では、選択中のゲート線Ｇと重ならない領域のセクションに駆動信号が出力されるよう、複数のセクションの順番が設定される。このように、ＴＰコントローラ３０は、全ての駆動線ＤＲＬ（１）〜ＤＲＬ（Ｐ）を複数のセクションにグループ化し、セクション毎に駆動信号を出力することができる。
【００９６】
＜実施形態２＞
図９は、実施形態２における駆動線ＤＲＬ及びゲート線の駆動形態を示す図である。図９において、縦軸は、駆動線ＤＲＬ及びゲート線Ｇの第１方向（Ｙ方向）における位置を示し、横軸は時間を示している。線ＴＤは、駆動信号が出力される駆動線ＤＲＬの位置すなわちセンシングの位置を示し、線ＤＤは、選択されるゲート線Ｇすなわちディスプレイ書き込みの位置を示す。
【００９７】
図９に示す例では、ゲート線Ｇは、画面下端から上端へ向けて順に選択される。一方、駆動線ＤＲＬは、画面上端から下端へ向けて順に駆動される。すなわち、ゲート線Ｇの画面走査の向きと、駆動線ＤＲＬの画面走査の向きは反対になっている。複数のゲート線Ｇは画面においてＹ方向に並んで配置され、画面走査では、一方の端（本例では画面下端）のゲート線からその並ぶ順で順次選択される。駆動線ＤＲＬも同様にＹ方向に並んで配置され、画面走査では、他方の端（本例では画面上端）の駆動線ＤＲＬからその並ぶ順で順次駆動信号が出力される。
【００９８】
ゲート線Ｇの１回の画面走査の期間において、駆動線ＤＲＬの駆動停止期間ＳＴ１、ＳＴ２が予め設定される。ＴＰコントローラ３０は、駆動停止期間ＳＴ１、ＳＴ２では、全ての駆動線ＤＲＬにおいて駆動信号の出力を停止する。すなわち、駆動停止期間ＳＴ１、ＳＴ２において、いずれの駆動線ＤＲＬにも駆動信号は出力されない。
【００９９】
駆動停止期間ＳＴ１、ＳＴ２は、一方端から他方端へ移動する選択中のゲート線Ｇの領域と、他方端から一方端へ移動する駆動信号が出力される駆動線ＤＲＬの領域とが出会う期間に設定される。すなわち、もしその停止期間で駆動信号の出力を停止しなければ、駆動線ＤＲＬの駆動位置と、ゲート線Ｇの選択位置（ディスプレイ書き込み位置すなわち表示更新行）が重なる期間を駆動停止期間ＳＴ１、ＳＴ２とすることができる。駆動停止期間ＳＴ１、ＳＴ２は、駆動信号の駆動周波数及び積算回数、駆動線ＤＲＬの画面走査の周期、表示装置２のフレームレートを用いて計算することができる。
【０１００】
図１０は、図９に示す動作における各種信号波形の一例を示す図である。図１０に示す例では、駆動線ＤＲＬの画面走査は、上端の駆動線ＤＲＬ（１）から、下端の駆動線ＤＲＬ（Ｐ）まで、並ぶ順に駆動信号Ｄｒを出力することで行われる。一方、ゲート線Ｇの画面走査は、下端のゲート線Ｇ（Ｎ）から上端のゲート線Ｇ（１）まで、並ぶ順に選択することで行われる。そのため、駆動禁止期間Ｐｒｈとなる各駆動線ＤＲＬは、下端の駆動線ＤＲＬ（Ｐ）から順に上へ移動する。
【０１０１】
図１０に示す例では、各駆動線ＤＲＬへの駆動信号Ｄｒの出力タイミングは、制御信号Ｃｄｒに拘束されない。すなわち、選択中のゲート線Ｇの領域と重なる駆動線ＤＲＬが変化するタイミングとは関係なく、駆動信号Ｄｒが出力される駆動線が切り替えられる。すなわち、１本の駆動線ＤＲＬにおいて駆動時間Ｗ１が終了すると、制御信号Ｃｄｒとは関係なく、すぐに次の駆動線ＤＲＬの駆動が開始される。
【０１０２】
図１０に示す例において、駆動線ＤＲＬ（２４）に重なる領域のゲート線Ｇが選択されている期間Ｐ９では、駆動線ＤＲＬ（２１）及び（２２）に駆動信号Ｄｒ（２１）、Ｄｒ（２２）がそれぞれ出力される。ゲート線Ｇが選択されている領域が駆動線ＤＲＬ（２３）となる期間Ｐ１０では、もし駆動を停止しなければ、この駆動線ＤＲＬ（２３）に駆動信号Ｄｒ（２３）が出力されることになる。しかし、期間Ｐ１０、Ｐ１１は、駆動停止期間ＳＴ１なので、駆動信号Ｄｒ（２３）は、駆動線ＤＲＬ（２３）に出力されない。これにより、表示更新中の画素の行に対応する領域の駆動線ＤＲＬを避けて駆動信号を出力することができる。
【０１０３】
この例では、ＴＰコントローラ３０は、駆動信号の出力を停止するタイミングを、制御信号Ｃｄｒに基づいて判断する。すなわち、ＴＰコントローラ３０は、垂直同期信号Ｖｓｙｎｃを基準に、制御信号Ｃｄｒのパルスをカウントし、パルス数が、予め決められた駆動停止期間の範囲（図１０に示す例では、パルス数＝１０、１１）のときに、駆動信号の出力を停止することができる。
【０１０４】
ＴＰコントローラ３０は、例えば、駆動信号の駆動周波数及び積算回数、ゲート線Ｇの画面走査の周期、駆動線ＤＲＬ及びゲート線Ｇの本数を用いて、駆動停止期間ＳＴ１、ＳＴ２を計算することができる。具体的には、ＴＰコントローラ３０は、駆動信号ＤＲＬの駆動周波数及び積算回数から、各駆動線ＤＲＬの駆動時間Ｗ１を算出する。また、上述のように、ゲート線Ｇの画面走査の周期、駆動線ＤＲＬ及びゲート線Ｇの本数を用いて、１本の駆動線ＤＲＬに重なる領域のゲート線Ｇ選択（ディスプレイ書き込み）の時間すなわち各駆動線の駆動禁止期間Ｐｒｈが計算される。ＴＰコントローラ３０は、各駆動線ＤＲＬの駆動時間Ｗ１及び駆動禁止期間Ｐｒｈを用いて、駆動線ＤＲＬの駆動が、駆動禁止期間Ｐｒｈと重ならないように、駆動停止期間ＳＴ１、ＳＴ２を決定することができる。
【０１０５】
＜駆動周波数を変更する場合の例＞
例えば、ＴＰコントローラ３０は、駆動周波数を変更する周波数変更部を有してもよい。周波数変更部は、例えば、ノイズ等の環境に応じて適切な駆動周波数を決定することができる。この場合、ＴＰコントローラ３０は、さらに、駆動周波数に基づいて、画面走査において駆動信号の出力を停止する期間すなわち駆動禁止期間Ｐｒｈ１、Ｐｒｈ２を算出する設定部を有することができる。設定部は、例えば、上記の駆動停止期間ＳＴ１、ＳＴ２と同様に、駆動周波数を用いて、駆動停止期間を決定することができる。なお、周波数変更部及び設定部は、上記実施形態１のセンサ付き表示装置においても設けることができる。この場合、設定部は、実施形態１のように、駆動周波数に応じて、駆動信号を出力する駆動線の順番を計算することができる。
【０１０６】
＜ＴＰコントローラの構成例＞
ここで、タッチパネル２０を制御して、上記の動作を実現するＴＰコントローラ３０の構成例を説明する。図１１は、ＴＰコントローラ３０の構成例を示す機能ブロック図である。
【０１０７】
図１１に示す例では、ＴＰコントローラ３０は、信号取得部３１、信号生成部３２、出力部３３、及び座標検出回路３４を備える。信号生成部３２は、信号選択部３２１及びタイマー３２２を含む。
【０１０８】
信号取得部３１は、タイミングコントローラ７から、画面の表示の更新のタイミング制御に用いられる同期信号を受け付ける。信号取得部３１は、例えば、信号を入力するポートを含む。同期信号には、例えば、垂直同期信号Ｖｓｙｎｃ及び水平同期信号Ｈｓｙｎｃが含まれる。
【０１０９】
信号生成部３２は、信号取得部３１が受け付けた同期信号に基づいて、画面の検出走査のタイミングを制御する信号を生成する。検出走査では、複数の駆動線ＤＲＬに対して順に駆動信号が印加される。これは、タッチパネル２０に対する対象物の接触又は接近を検出するための走査である。
【０１１０】
信号生成部３２は、画面の検出走査の開始から終了までの間に、画面の表示の更新が開始され、かつ、検出走査の１画面における走査時間は、１画面の表示の更新時間と同じか又は短くなるよう制御する信号を生成する。
【０１１１】
出力部３３は、信号生成部３２で生成された信号又はこの信号に基づく駆動信号を、タッチパネル２０に出力する。出力部３３は、信号生成部３２で生成された信号にしたがって、各駆動線ＤＲＬに駆動信号を印加する。
【０１１２】
座標検出回路３４は、タッチパネル２０の検出線ＳＮＬで検出された検出信号に基づいて、対象物が接触又は接近した画面における位置（タッチパネル２０上の位置）を示す座標を計算する。
【０１１３】
信号生成部３２において、タイマー３２２は、信号取得部３１が受け付けた同期信号に基づいて、内部信号を生成し、信号選択部３２１へ出力する。信号選択部３２１は、タイマー３２２が生成する内部生成信号及び信号取得部３１が受け付けた同期信号から少なくとも１つの信号を選択し、出力部３３に送信する。
【０１１４】
タイマー３２２は、入力された信号のパルスの立ち上がり又は立ち下がりから予め設定された時間経過後にパルスを発生させることができる。これにより、例えば、垂直同期信号Ｖｓｙｎｃのパルスを基準とする所定周期のパルスを含む信号を生成することができる。例えば、図４の制御信号Ｃｄｒ又は駆動信号Ｄｒ（１）〜Ｄｒ（ｐ）のパルスの周期のように、所定の周期のパルスを含む信号を生成することができる。
【０１１５】
そのため、タイマー３２２は、入力信号のパルスのエッジ（立ち上がり又は立ち下がり）を検出するエッジ検出回路、一定周波数のクロック信号を生成するクロック生成回路、及び、エッジ検出後のクロック信号のクロックパルス数をカウントするカウンタ、カウンタによるカウント数に応じてパルスを発生させる内部信号生成回路（いずれも図示せず）を備えることができる。また、タイマー３２２は、水平同期信号Ｈｓｙｎｃのパルス数をカウントするカウンタを備えてもよい。
【０１１６】
内部信号生成回路は、カウンタのカウント数を、レジスタ等に予め設定された値と比較し、カウント数が予め設定された値に達するとパルスを発生させる。この場合、図４の制御信号Ｃｄｒ又は駆動信号Ｄｒ（１）〜Ｄｒ（ｐ）のパルス周期等を、予め設定することができる。
【０１１７】
タイマー３２２は、内部信号として、例えば、図４に示す制御信号Ｃｄｒ、又は駆動信号Ｄｒ（１）〜Ｄｒ（Ｐ）の基となるパルス信号、又は、１本の駆動線ＤＲＬの駆動時間を制御する駆動同期信号等を生成することができる。
【０１１８】
信号選択部３２１は、タイマー３２２で生成された信号のうち出力部３３へ供給する信号を少なくとも１つ選択する。例えば、信号選択部３２１は、タイマー３２２で生成された各駆動線ＤＲＬの駆動信号Ｄｒ（１）〜Ｄｒ（ｐ）を選択することができる。又は、駆動信号Ｄｒ（１）〜Ｄｒ（ｐ）の基となるパルス信号と、駆動タイミングを示す制御信号Ｃｄｒとを選択することができる。さらに、各駆動線ＤＲＬの駆動タイミングを示す駆動同期信号が選択されてもよい。出力部３３は、信号選択部３２１から出力される信号にしたがって、駆動線ＤＲＬ（１）〜ＤＲＬ（Ｐ）に駆動信号を印加する。
【０１１９】
また、信号生成部３２は、予め記録されたデータに従って、駆動信号を出力する駆動線ＤＲＬを示す信号を、出力部３３へ供給することができる。例えば、駆動線ＤＲＬを駆動する順番を示すデータを予めメモリなどに記録することができる。信号生成部３２は、記録されたデータが示す順番に従って、駆動信号の出力先の駆動線ＤＲＬを指示する信号を出力部３３へ供給する。
【０１２０】
ＴＰコントローラ３０は、周波数変更部３５及び設定部３６をさらに備えてもよい。周波数変更部３５は、例えば、ノイズレベルが予め設定された範囲を超える場合、駆動周波数を変更することができる。ノイズレベルは、例えば、検出線ＳＮＬで検出される信号に基づいて判断することができる。周波数の変更は、例えば、周波数変更部３５が、ＴＰコントローラ３０において予め設定された複数の周波数のうちいずれかを選択することで実行される。周波数の変更には、例えば、周波数ホッピング（ＦＨ：Frequency Hopping）の技術を用いることができる。設定部３６は、周波数変更部３５が変更した駆動周波数に基づき、信号生成部３２で用いられる設定値を更新する。
【０１２１】
なお、ＴＰコントローラ３０の構成は、図１０に示す例に限られない。例えば、座標検出回路３４は、ＴＰコントローラ３０の外部に配置することもできる。また、信号取得部３１が受信する信号は、垂直同期信号Ｖｓｙｎｃ及び水平同期信号Ｈｓｙｎｃに限られず、これらの代わりに又はこれらに加えて、その他の表示画面の更新タイミングを制御する信号を受信してもよい。例えば、信号取得部３１は、ＧＰＩＯ（General Purpose Input Output）をタイミングコントローラ７から受信することができる。また、信号取得部３１は、タイミングコントローラ７ではなく、システム側コントローラ１０から同期信号を受信してもよい。
【０１２２】
以上、本発明の実施形態について説明したが、本発明は、上記実施形態に限られない。例えば、上記実施形態は、複数の駆動線ＤＲＬに対して、１本ずつ順にパルス信号を入力する駆動の例であるが、２本以上の駆動線ＤＲＬに同時にパルス信号を入力する駆動であってもよい。また、上記実施形態は、相互容量方式のタッチパネルの例であるが、タッチパネルは、自己容量方式であってもよい。
【０１２３】
また、表示装置２は、上記のような液晶表示装置に限定されない。表示装置２は、例えば、有機ＥＬディスプレイ、プラズマディスプレイ、或は、電気泳動又はＭＥＭＳを用いたディスプレイなどであってもよい。
【符号の説明】
【０１２４】
１  センサ付き表示装置
２  表示装置
３  検出装置
４  走査線駆動回路（走査駆動部の一例）
５  データ線駆動回路（データ駆動部の一例）
８  ＴＦＴ（スイッチング素子の一例）
９  画素電極
１１  共通電極
２０  タッチパネル
３０  ＴＰコントローラ（検出制御部の一例）
Ｇ  ゲート線（走査線の一例）
Ｓ  データ線
ＤＲＬ  駆動線
ＳＮＬ  検出線
【図１】
2017006951.tif 000003
【図２】
2017006951.tif 000004
【図３】
2017006951.tif 000005
【図４】
2017006951.tif 000006
【図５】
2017006951.tif 000007
【図６】
2017006951.tif 000008
【図７】
2017006951.tif 000009
【図８】
2017006951.tif 000010
【図９】
2017006951.tif 000011
【図１０】
2017006951.tif 000012
【図１１】
2017006951.tif 000013
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
画像を表示する画面と、前記画面に対する対象物の接触又は接近を検出するセンサとを有するセンサ付き表示装置であって、
第１方向に並ぶ複数の走査線と、
前記第１方向と異なる第２方向に並ぶ複数のデータ線と、
前記走査線と前記データ線との各交点に対応して設けられる複数のスイッチング素子と、
前記複数のスイッチング素子にそれぞれ接続される複数の画素電極と、
前記複数の走査線を前記第１方向に順に選択する画面走査を繰り返す走査駆動部と、
前記走査駆動部による前記走査線の走査に同期して前記複数のデータ線に信号を出力することで、前記画素電極に表示すべき階調に応じた電圧を印加するデータ駆動部と、
前記第１方向に並ぶ複数の駆動線と、
前記第２方向に並ぶ複数の検出線と、
前記複数の駆動線に順に、駆動信号を出力する画面走査を繰り返し、前記駆動信号に対応して前記検出線の信号を検出する検出制御部とを有し、
前記検出制御部は、前記走査線の画面走査の期間と重なる期間において、前記駆動線の画面走査を実行し、前記駆動線の画面走査において、前記走査駆動部により選択中の走査線に対応する領域の駆動線を避けて駆動信号を出力し、
前記検出制御部は、前記走査駆動部による前記走査線の選択のタイミングを制御するための同期信号に基づくタイミングで、前記画面走査において前記駆動信号の出力を停止することで、選択中の走査線に対応する領域の駆動線を避けて駆動信号を出力する、表示装置。
【請求項２】
前記検出制御部は、前記同期信号に基づくタイミングで、予め決められた順番で前記複数の駆動線に前記駆動信号を出力することで、選択中の走査線に対応する領域の外の駆動線に駆動信号を出力する、請求項２に記載のセンサ付き表示装置。
【請求項３】
前記走査駆動部は、前記画面走査において、前記第１方向の一方端の走査線から他方端の走査線まで順に走査線を選択し、
前記検出制御部は、前記画面走査において、前記第１方向の他方端の駆動線から一方端の駆動線まで順に駆動信号を出力し、選択される走査線の位置が、駆動信号が出力される駆動線の位置と重なるタイミングで駆動信号の出力を停止する、請求項１に記載のセンサ付き表示装置。
【請求項４】
前記検出制御部は、
前記駆動信号の駆動周波数を変更する周波数変更部と、
前記駆動周波数に基づいて、前記駆動信号を出力する駆動線の前記順番又は、前記画面走査において駆動信号の出力を停止する期間を決定する設定部をさらに有する、請求項１〜３のいずれか１項に記載のセンサ付き表示装置。
【請求項５】
前記同期信号は、前記走査駆動部の動作の基となる垂直同期信号と水平同期信号を含み、
前記検出制御部は、垂直同期信号を基準としてカウントされる前記水平同期信号のパルス数に応じて、前記駆動信号の出力を制御する、請求項１〜４のいずれか１項に記載のセンサ付き表示装置。
【請求項６】
画素の行列を有する画面と、前記画面に重なる領域において画素の行に垂直な方向に並ぶ複数の駆動線と、画素の列に垂直な方向に並ぶ検出線を有し、前記検出線の信号に基づいて前記画面に対する対象物の接触又は接近を検出する電子機器を制御する制御装置であって、
前記画面の各行の画素の表示の更新を開始するタイミングを制御するための同期信号を受け付ける信号取得部と、
前記同期信号に基づいて、複数の駆動線に出力する駆動信号を制御する信号を生成する信号生成部と、
前記信号生成部で生成された信号又は前記信号に基づく前記駆動信号を出力する出力部とを備え、
前記信号生成部は、前記画面の表示の更新期間と重なる期間において、前記複数の駆動線に駆動信号を出力する画面走査を実行し、前記駆動線の画面走査において、前記同期信号に基づくタイミングで前記駆動信号の生成を停止することで、表示更新中の画素の行に対応する領域の駆動線を避けて駆動信号を出力するように前記信号を生成する、制御装置。
【請求項７】
画素の行列を有する画面と、前記画面に重なる領域において画素の行に垂直な方向に並ぶ複数の駆動線と、列に垂直な方向に並ぶ検出線を有し、前記検出線の信号に基づいて前記画面に対する対象物の接触又は接近を検出する電子機器を制御する制御方法であって、
前記画面の各行の画素の表示の更新を開始するタイミングを制御するための同期信号を受け付けるステップと、
前記同期信号に基づいて、前記駆動線に出力する駆動信号を制御する信号を生成する信号生成ステップと、
前記信号生成ステップで生成された信号又は前記信号に基づく前記駆動信号を出力する出力ステップとを備え、
前記信号生成ステップでは、前記画面の表示の更新期間と重なる期間において、前記複数の駆動線に駆動信号を出力する画面走査を実行し、前記駆動線の画面走査において、前記同期信号に基づくタイミングで前記駆動信号の生成を停止することで、表示更新中の画素の行に対応する領域の駆動線を避けて駆動信号を出力するように前記信号を生成する、電子機器の制御方法。
【国際調査報告】
2017006951.tif 000014
2017006951.tif 000015
2017006951.tif 000016
2017006951.tif 000017